(57)【要約】【課題】  貨幣の取り出しを行っているときに障害が発生した後、障害発生時に取り出しが行われていた貨幣である取出不良貨幣を抜き出して貨幣収納庫に戻す際に、操作者が正確に戻し操作を行うことができる貨幣処理装置を提供すること。【解決手段】  貨幣処理装置は、異なる金種の貨幣をその金種毎にそれぞれ収納する複数の貨幣収納庫２１と、貨幣収納庫２１に収納された貨幣の取り出しを行う貨幣取り出し手段２２と、記憶手段２３ａと、警報手段２４とを備えている。記憶手段２３ａは、貨幣の取り出しを行う際に障害が発生したときに、この障害発生時に取り出しが行われていた取出不良貨幣に関する取出不良貨幣情報を記憶する。警報手段２４は、障害発生後に取出不良貨幣を貨幣収納庫２１に戻す際に、記憶手段２３ａに記憶された取出不良貨幣情報と異なるよう取出不良貨幣が貨幣収納庫２１に戻されたときに警報を発する。【選択図】  図３
2006338362.tif 000002
【特許請求の範囲】
【請求項１】
異なる金種の貨幣をその金種毎にそれぞれ収納する複数の貨幣収納庫と、
前記貨幣収納庫に収納された貨幣の取り出しを行う貨幣取り出し手段と、
前記貨幣取り出し手段により貨幣の取り出しを行う際に障害が発生したときに、この障害発生時に取り出しが行われていた貨幣である取出不良貨幣の金種を取出不良貨幣情報として記憶する記憶手段と、
障害発生後に前記取出不良貨幣を前記貨幣収納庫に戻す際に、前記記憶手段に記憶された取出不良貨幣情報の金種に対応する貨幣収納庫とは異なる貨幣収納庫に当該取出不良貨幣が戻されたときに警報を発する警報手段と、
を備えたことを特徴とする貨幣処理装置。
【請求項２】
前記記憶手段は、取出不良貨幣の金種に加えて取出不良貨幣の数量も取出不良貨幣情報として記憶し、
前記警報手段は、障害発生後に前記取出不良貨幣を前記貨幣収納庫に戻す際に、前記記憶手段に記憶された取出不良貨幣情報の数量と実際に貨幣収納庫に戻される取出不良貨幣の数量とが異なるときにも警報を発することを特徴とする請求項１記載の貨幣処理装置。
【請求項３】
異なる金種の貨幣をその金種毎にそれぞれ収納する複数の貨幣収納庫と、
前記貨幣収納庫に収納された貨幣の取り出しを行う貨幣取り出し手段と、
前記貨幣取り出し手段により貨幣の取り出しを行う際に障害が発生したときに、この障害発生時に取り出しが行われていた貨幣である取出不良貨幣の金種を取出不良貨幣情報として記憶する記憶手段と、
前記各貨幣収納庫について、それぞれ貨幣の収納を不能とするようロックすることができるロック手段と、
障害発生時に、前記記憶手段に記憶された取出不良貨幣情報の金種に対応する貨幣収納庫のみのロックを解除するロック解除手段と、
を備えたことを特徴とする貨幣処理装置。
【請求項４】
異なる金種の貨幣をその金種毎にそれぞれ収納する複数の貨幣収納庫と、
前記貨幣収納庫に収納された貨幣の取り出しを行う貨幣取り出し手段と、
前記貨幣取り出し手段により貨幣の取り出しを行う際に障害が発生したときに、この障害発生時に取り出しが行われていた貨幣である取出不良貨幣の金種を取出不良貨幣情報として入力するための入力手段と、
障害発生後に前記取出不良貨幣を前記貨幣収納庫に戻す際に、前記入力手段において入力された取出不良貨幣情報の金種に対応する貨幣収納庫とは異なる貨幣収納庫に当該取出不良貨幣が戻されたときに警報を発する警報手段と、
を備えたことを特徴とする貨幣処理装置。
【請求項５】
障害発生時に取り出しが行われていた取出不良貨幣の金種を取出不良貨幣情報として記憶する記憶手段を更に備え、
前記記憶手段に記憶された取出不良貨幣情報のみを前記入力手段により入力することができるようになっていることを特徴とする請求項４記載の貨幣処理装置。
【請求項６】
異なる金種の貨幣をその金種毎にそれぞれ収納する複数の貨幣収納庫と、
貨幣を手動で前記貨幣収納庫に収納する前に当該貨幣の金種および数量を収納予定貨幣情報として入力するための入力手段と、
貨幣を手動で前記貨幣収納庫に収納する際に、前記入力手段において入力された収納予定貨幣情報の金種または数量と異なるよう貨幣が前記貨幣収納庫に収納されたときに警報を発する警報手段と、
を備えたことを特徴とする貨幣処理装置。
【請求項７】
前記警報手段は、音または表示により操作者に対して警報を発することを特徴とする請求項１、２、４乃至６のいずれか一項に記載の貨幣処理装置。
【発明の詳細な説明】
【技術分野】
【０００１】
本発明は、紙幣束、バラ紙幣、硬貨等の貨幣の出し入れを行う貨幣処理装置に関し、とりわけ、貨幣の取り出しを行っているときに障害が発生した場合、障害発生時に取り出しが行われていた貨幣である取出不良貨幣を操作者が貨幣収納庫に手動で戻すよう構成された貨幣処理装置に関する。
【背景技術】
【０００２】
従来、紙幣束、バラ紙幣、硬貨等の貨幣の出し入れを行う貨幣処理装置としては、例えば特許文献１、２等に記載されたものが知られている。
【０００３】
特許文献１には、金融営業店のロビー等に設置され、大口の現金の入出金を顧客自らの操作によって行うことができる貨幣取引処理装置が開示されている。特許文献１に係る貨幣取引処理装置によれば、バラ状態で投入された紙幣を所定枚数ごとに結束・包装して包装紙幣とすることができ、顧客はこの包装紙幣を取出口から取り出すことができるようになっている。
【０００４】
また、特許文献２には、紙幣等の紙葉類について繰出し、搬送、集積等の処理を行う複数の処理ユニットを備えた紙葉類処理装置に係り、特に、各処理ユニットで詰まり等の障害が発生した場合に当該ユニットを筐体から引き出して障害の復旧を行うよう構成された紙葉類処理装置が開示されている。このような紙葉類処理装置によれば、どの処理ユニットに障害が生じたかを特に意識することなく、容易に復旧作業を行うことができるようになっている。
【０００５】
【特許文献１】特開２００４−７０４８６号公報
【特許文献２】特開２００３−３０８５５７号公報
【発明の開示】
【発明が解決しようとする課題】
【０００６】
一般に、貨幣の出し入れを行う貨幣処理装置において、貨幣の取り出しを行っている最中にこの貨幣処理装置の内部で貨幣の詰まり等の障害が発生する場合がある。この場合には、貨幣処理装置における一連の処理が自動的に停止される。この際に、操作者は、貨幣処理装置の筐体を開け、手動でこの障害時に搬送されていた取出不良貨幣を抜き出すとともに、抜き出された取出不良貨幣を金種が合致する貨幣収納庫に戻す必要がある。
【０００７】
このような取出不良貨幣の戻し操作を行う際に、取出不良貨幣の金種とは異なる他の金種の貨幣収納庫に操作者が誤って取出不良貨幣を戻してしまうおそれがある。この場合には、復旧作業の後に、金種を誤って貨幣収納庫に戻された取出不良貨幣がそのまま貨幣処理装置から取り出され、操作者は所望の金種の貨幣を取り出すことができないという問題がある。
また、操作者の戻し操作に誤りがあり、貨幣収納庫に戻された取出不良貨幣の数量と、障害が発生したときに実際に搬送されていた取出不良貨幣の数量とが異なってしまい、出金時に計算エラーが生じてしまうというおそれがある。
【０００８】
また、特許文献２に記載の紙葉類処理装置においては、障害発生時に手動で抜き出した貨幣を出金口から入金し、識別部で識別して貨幣収納庫に収納することが可能である。
しかしながら、このような識別部は高価なものであり、紙葉類処理装置の製造コストが大きくなってしまうという問題がある。
【０００９】
本発明は、このような点を考慮してなされたものであり、貨幣の取り出しを行っているときに障害が発生した後、障害発生時に取り出しが行われていた貨幣である取出不良貨幣を抜き出して貨幣収納庫に戻す際に、操作者が正確に戻し操作を行うことができる貨幣処理装置に関する。
【課題を解決するための手段】
【００１０】
本発明は、異なる金種の貨幣をその金種毎にそれぞれ収納する複数の貨幣収納庫と、前記貨幣収納庫に収納された貨幣の取り出しを行う貨幣取り出し手段と、前記貨幣取り出し手段により貨幣の取り出しを行う際に障害が発生したときに、この障害発生時に取り出しが行われていた貨幣である取出不良貨幣の金種を取出不良貨幣情報として記憶する記憶手段と、障害発生後に前記取出不良貨幣を前記貨幣収納庫に戻す際に、前記記憶手段に記憶された取出不良貨幣情報の金種に対応する貨幣収納庫とは異なる貨幣収納庫に当該取出不良貨幣が戻されたときに警報を発する警報手段と、を備えたことを特徴とする貨幣処理装置である。
ここで、貨幣とは、例えば紙幣束、バラ紙幣、同一種類の複数の硬貨を紙等で包装した硬貨包装体等のことをいう。
このような貨幣処理装置によれば、障害発生後に操作者が取出不良貨幣を誤って別の金種の貨幣収納庫に収納した場合には、操作者は警報手段から警報を受けることにより取出不良貨幣の戻し操作に誤りがあったことを認識することができる。
【００１１】
このような貨幣処理装置においては、前記記憶手段は、取出不良貨幣の金種に加えて取出不良貨幣の数量も取出不良貨幣情報として記憶し、前記警報手段は、障害発生後に前記取出不良貨幣を前記貨幣収納庫に戻す際に、前記記憶手段に記憶された取出不良貨幣情報の数量と実際に貨幣収納庫に戻される取出不良貨幣の数量とが異なるときにも警報を発することが好ましい。
このような貨幣処理装置によれば、障害発生後に貨幣収納庫に収納すべき取出不良貨幣の数量を間違えた場合にも、操作者は警報手段から警報を受けることにより取出不良貨幣の戻し操作に誤りがあったことを認識することができる。
【００１２】
本発明は、異なる金種の貨幣をその金種毎にそれぞれ収納する複数の貨幣収納庫と、前記貨幣収納庫に収納された貨幣の取り出しを行う貨幣取り出し手段と、前記貨幣取り出し手段により貨幣の取り出しを行う際に障害が発生したときに、この障害発生時に取り出しが行われていた貨幣である取出不良貨幣の金種を取出不良貨幣情報として記憶する記憶手段と、前記各貨幣収納庫について、それぞれ貨幣の収納を不能とするようロックすることができるロック手段と、障害発生時に、前記記憶手段に記憶された取出不良貨幣情報の金種に対応する貨幣収納庫のみのロックを解除するロック解除手段と、を備えたことを特徴とする貨幣処理装置である。
このような貨幣処理装置によれば、障害発生後には操作者は取出不良貨幣をこの取出不良貨幣の金種に対応する貨幣収納庫のみにしか収納することができないので、操作者が取出不良貨幣を誤って別の金種の貨幣収納庫に収納することを確実に抑止することができる。
【００１３】
本発明は、異なる金種の貨幣をその金種毎にそれぞれ収納する複数の貨幣収納庫と、前記貨幣収納庫に収納された貨幣の取り出しを行う貨幣取り出し手段と、前記貨幣取り出し手段により貨幣の取り出しを行う際に障害が発生したときに、この障害発生時に取り出しが行われていた貨幣である取出不良貨幣の金種を取出不良貨幣情報として入力するための入力手段と、障害発生後に前記取出不良貨幣を前記貨幣収納庫に戻す際に、前記入力手段において入力された取出不良貨幣情報の金種に対応する貨幣収納庫とは異なる貨幣収納庫に当該取出不良貨幣が戻されたときに警報を発する警報手段と、を備えたことを特徴とする貨幣処理装置である。
このような貨幣処理装置によれば、障害発生後に操作者が取出不良貨幣を誤って別の金種の貨幣収納庫に収納した場合には、入力手段において入力された取出不良貨幣情報に基づいて操作者は警報手段から警報を受ける。このようにして、操作者は入力手段における自己の入力内容に対して実際の取出不良貨幣の戻し操作に誤りがあったことを認識することができる。
【００１４】
上述の貨幣処理装置においては、障害発生時に取り出しが行われていた取出不良貨幣の金種を取出不良貨幣情報として記憶する記憶手段を更に備え、前記記憶手段に記憶された取出不良貨幣情報のみを前記入力手段により入力することができるようになっていることが好ましい。
このような貨幣処理装置によれば、入力手段において操作者は実際の状況に即した取出不良貨幣情報を入力することができ、障害発生後に操作者が取出不良貨幣を誤って別の金種の貨幣収納庫に収納した場合には、この実際の状況に即した取出不良貨幣情報に基づいて操作者は警報手段から警報を受ける。このように操作者の取出不良貨幣の戻し操作について入力手段および警報手段において二重のチェックが行われるので、操作者は取出不良貨幣の戻し操作をより正確に行うことができる。
【００１５】
本発明は、異なる金種の貨幣をその金種毎にそれぞれ収納する複数の貨幣収納庫と、貨幣を手動で前記貨幣収納庫に収納する前に当該貨幣の金種および数量を収納予定貨幣情報として入力するための入力手段と、貨幣を手動で前記貨幣収納庫に収納する際に、前記入力手段において入力された収納予定貨幣情報の金種または数量と異なるよう貨幣が前記貨幣収納庫に収納されたときに警報を発する警報手段と、を備えたことを特徴とする貨幣処理装置である。
このような貨幣処理装置によれば、手動で貨幣を貨幣収納庫に収納する際に、貨幣を誤って別の金種の貨幣収納庫に収納したり、貨幣収納庫に実際に収納する貨幣の数量を間違えたりした場合には、入力手段において入力された収納予定貨幣情報に基づいて操作者は警報手段から警報を受ける。このようにして、操作者は入力手段における自己の入力内容に対して実際の貨幣の収納操作に誤りがあったことを認識することができる。このことにより、操作者は貨幣の収納操作を正確に行うことができる。
【００１６】
上述の貨幣処理装置においては、前記警報手段は、音または表示により操作者に対して警報を発することが好ましい。
【発明の効果】
【００１７】
請求項１記載の貨幣処理装置によれば、貨幣の取り出しを行っているときに障害が発生した後、障害発生時に取り出しが行われていた取出不良貨幣を抜き出して貨幣収納庫に戻す際に、操作者がこの戻し操作を誤ったときには、取出不良貨幣の戻し操作に誤りがあったことを警報により操作者に認識させることができる。このことにより、操作者は取出不良貨幣の戻し操作を正確に行うことができ、また、復旧作業の後に、金種を誤って貨幣収納庫に戻された取出不良貨幣が貨幣処理装置から取り出されることを確実に抑止することができる。
【００１８】
請求項３記載の貨幣処理装置によれば、貨幣の取り出しを行っているときに障害が発生した後、障害発生時に取り出しが行われていた取出不良貨幣を抜き出して貨幣収納庫に戻す際に、この取出不良貨幣の金種に対応する貨幣収納庫のみのロックが解除されて、操作者は取出不良貨幣をこのロックが解除された貨幣収納庫のみにしか収納することができないようになっている。このため、操作者が取出不良貨幣を誤って別の金種の貨幣収納庫に収納することを確実に抑止することができる。このことにより、復旧作業の後に、金種を誤って貨幣収納庫に戻された取出不良貨幣が貨幣処理装置から取り出されることを確実に抑止することができる。
【００１９】
請求項４記載の貨幣処理装置によれば、貨幣の取り出しを行っているときに障害が発生した後、障害発生時に取り出しが行われていた取出不良貨幣を抜き出して貨幣収納庫に戻す際に、操作者がこの戻し操作を誤ったときには、入力手段において入力された取出不良貨幣情報に基づいて操作者は警報を受ける。このことにより、操作者は取出不良貨幣の戻し操作を正確に行うことができ、また、復旧作業の後に、金種を誤って貨幣収納庫に戻された取出不良貨幣が貨幣処理装置から取り出されることを確実に抑止することができる。
【００２０】
請求項６記載の貨幣処理装置によれば、手動で貨幣を貨幣収納庫に収納する際に、操作者がこの収納操作を誤ったときには、入力手段において入力された収納予定貨幣情報に基づいて操作者は警報を受ける。このようにして、操作者は入力手段における自己の入力内容に対して実際の貨幣の収納操作に誤りがあったことを認識することができる。このことにより、操作者は貨幣の収納操作を正確に行うことができる。
【発明を実施するための最良の形態】
【００２１】
第１の実施の形態
以下、図面を参照して本発明の第１の実施の形態について説明する。図１乃至図３は、本実施の形態による貨幣処理装置を示す図である。
このうち図１は、本実施の形態の貨幣処理装置の外観を示す斜視図であり、図２は、図１の貨幣処理装置において各貨幣収納庫（カセット）を手前側に引き出したときの外観を示す斜視図であり、図３は、図１の貨幣処理装置における束紙幣処理部の各構成部材の配置を示す模式的な縦断面図である。
以下、本実施の形態の貨幣処理装置の全体構成、各部の具体的構成、操作および作用効果、並びに変形例について順次説明する。
【００２２】
図１および図２に示すように、貨幣処理装置は、紙幣束Ｂを処理するための束紙幣処理部２０と、バラ紙幣Ｓを処理するためのバラ紙幣処理部３０とが左右に連結された構造となっている。貨幣処理装置の束紙幣処理部２０は、バラ紙幣処理部３０からバラ紙幣Ｓが送られるようになっており、この送られたバラ紙幣Ｓの結束を行って紙幣束Ｂとする結束手段２５（図３参照）と、紙幣束Ｂの取り出しを行う出金口４０とを有している。ここで、「バラ紙幣Ｓの結束を行う」とは、バラ紙幣Ｓを所定枚数毎に束にまとめ、細長い結束帯をこの紙束に巻くことをいう。また、貨幣処理装置のバラ紙幣処理部３０は、バラ紙幣Ｓの入金を行う入金口４１と、バラ紙幣Ｓの取り出しを行う出金口４２とを有している。
この貨幣処理装置は、束紙幣処理部２０やバラ紙幣処理部３０の他に、包装硬貨出金部３、バラ硬貨入出金部２、現金以外の有価証券等を投入する現外ポスト部４などを備えている。また、この貨幣処理装置は、システム全体で共有される端末部５、操作者が紙幣束Ｂやバラ紙幣Ｓの出し入れの処理内容を入力するキーボード式の操作部６（入力手段）および外部プリンタ８を備えている。なお、端末部５には、束紙幣処理部２０やバラ紙幣処理部３０等の処理状態を表示する表示画面５ａおよびＩＤカードリーダ５ｂが設けられている。
【００２３】
図３に示すように、貨幣処理装置の束紙幣処理部２０は、当該束紙幣処理部２０に対して出し入れされる束紙幣Ｂを垂直方向に移動させるための昇降通路２０ａと、異なる金種の紙幣束Ｂをその金種毎にそれぞれ収納する複数の貨幣収納庫（カセット）２１と、貨幣収納庫２１に対して紙幣束Ｂの出し入れを行う貨幣搬送手段２２とを備えている。すなわち、貨幣搬送手段２２は貨幣収納庫２１から紙幣束Ｂを取り出す貨幣取り出し手段としての機能を有している。
また、束紙幣処理部２０は、メモリ（記憶手段）２３ａを有する制御ユニット２３を備えており、このメモリ２３ａは、貨幣搬送手段２２により紙幣束Ｂの取り出しを行う際に障害が発生したときに、障害発生時に取り出しが行われていた取出不良紙幣束Ｂ´の金種や数量の情報（これらの金種や数量の情報をまとめて「取出不良貨幣情報」ともいう。）を記憶するようになっている。さらに、この制御ユニット２３には、障害発生後に取出不良紙幣束Ｂ´を貨幣収納庫２１に戻す際に、メモリ２３ａに記憶された取出不良紙幣束Ｂ´の金種や数量の情報と異なるよう取出不良紙幣束Ｂ´が貨幣収納庫２１に戻されたときに警報を発する警報手段２４が電気的に接続されている。
【００２４】
以下、貨幣処理装置の束紙幣処理部２０の各構成要素について図３を用いて更に詳しく説明する。
束紙幣処理部２０に設けられる貨幣収納庫２１の個数は例えば５つ（図３の貨幣収納庫２１ａ〜２１ｅ参照）となっており、これらの貨幣収納庫２１ａ〜２１ｅは図２に示すように前後方向に一列に配置されている。貨幣収納庫２１ａ〜２１ｅは、紙幣束Ｂを金種別に（例えば、千円札、二千円札、五千円札、一万円札毎に分けて）収納する４つの金種別収納庫２１ａ〜２１ｄと、紙幣束Ｂを金種混合状態で一括して収納する一括収納庫２１ｅとに分けられる。各貨幣収納庫２１ａ〜２１ｅは独立して着脱可能なカセット式のものであり、それぞれ上端部が開口すると共に、内部にパンタグラフ機構２１ｆ付きの昇降ステージ２１ｇが設けられている。
各貨幣収納庫２１ａ〜２１ｅの上方には、各々左右に開閉する一対の開閉板２８がそれぞれ設けられており、対応する開閉板２８が開状態となっている貨幣収納庫２１ａ〜２１ｅに対して紙幣束Ｂの出し入れを行うことができるようになっている。
【００２５】
貨幣搬送手段２２は、貨幣収納庫２１の上方領域から昇降通路２０ａ内まで水平に延びる搬送ベルト２２ａと、昇降通路２０ａ内に設けられ、内部に紙幣束Ｂを載せて昇降する昇降ステージ２２ｂとを有している。この貨幣搬送手段２２においては、紙幣束Ｂの収納時には、まず紙幣束Ｂが搬送ベルト２２ａ上に載置され、収納すべき貨幣収納庫２１ａ〜２１ｅに対応した開閉板２８の上方まで当該紙幣束Ｂを搬送ベルト２２ａにより搬送するようになっている。一方、紙幣束Ｂの取り出し時には、搬送ベルト２２ａは貨幣収納庫２１ａ〜２１ｅから各々の金種の紙幣束Ｂを受けて昇降通路２０ａまで搬送し、昇降ステージ２２ｂがこの搬送ベルト２２ａから紙幣束Ｂを受けて出金口４０まで搬送するようになっている。
【００２６】
貨幣搬送手段２２は、紙幣束Ｂの搬送を行う際に紙幣束Ｂの詰まり等の障害が発生したときにこの障害発生を検知する複数の検知器２２ｃを更に有している。具体的には、各々の検知器２２ｃは、例えば、障害発生箇所を特定可能な程度の間隔で紙幣束Ｂの移動経路上に配置された光学センサ等から構成されており、搬送ベルト２２ａや昇降ステージ２２ｂにより搬送される紙幣束Ｂの傾き、引っ掛かり等の異常を検知するようになっている。
【００２７】
制御ユニット２３は、貨幣搬送手段２２の各検知器２２ｃと電気的に接続されており、そのメモリ２３ａに、検知器２２ｃにより障害の発生が検知されたときに障害発生時に取り出しが行われていた取出不良紙幣束Ｂ´に関する金種や数量を取出不良貨幣情報として記憶するようになっている。
【００２８】
警報手段２４は、制御ユニット２３に電気的に接続されたブザー２４ａを有している。そして、障害発生後に操作者が取出不良紙幣束Ｂ´を貨幣収納庫２１に戻す際に、メモリ２３ａに記憶された取出不良紙幣束Ｂ´に関する金種や数量の情報と異なるよう取出不良紙幣束Ｂ´が貨幣収納庫２１に戻されたときに、警報手段２４のブザー２４ａがエラーブザーを鳴らすようになっている。
【００２９】
具体的には、例えば五千円札の紙幣束Ｂの取り出しを行っているときに当該紙幣束Ｂの詰まり等の障害が発生したときには、制御ユニット２３のメモリ２３ａには、取出不良紙幣束Ｂ´が五千円札であるという金種情報および障害により出金口４０まで搬送されなかった取出不良紙幣束Ｂ´の数量情報が記憶される。そして、操作者がこの五千円札の取出不良紙幣束Ｂ´を抜き出して貨幣収納庫２１に戻す際に、五千円札に対応する貨幣収納庫２１以外の貨幣収納庫２１に取出不良紙幣束Ｂ´を戻したり、実際に戻された取出不良紙幣束Ｂ´の数量とメモリ２３ａに記憶された数量とが合致していなかったりした場合には、警報手段２４のブザー２４ａによりエラーブザーが鳴らされるようになっている。
なお、この警報手段２４は、音により操作者に対して警報を発するブザー２４ａに限定されることはなく、例えば表示により操作者に対して視覚的に警報を与えるランプ等であってもよく、あるいは、貨幣処理装置の表示画面５ａにこの警報が表示されるようになっていてもよい。
【００３０】
次に、このような構成からなる本実施の形態の作用について図１乃至図３を用いて説明する。
貨幣処理装置において貨幣の出し入れを行うにあたり、最初に、操作者がバラ紙幣処理部３０の入金口４１に様々な金種のバラ紙幣Ｓを一括して投入し、投入されたバラ紙幣Ｓはこのバラ紙幣処理部３０内で金種毎に（例えば、千円札、二千札、五千円札、一万円札毎に分けて）収納される。
バラ紙幣処理部３０内に収納されたバラ紙幣Ｓは更に束紙幣処理部２０に送られ、この束紙幣処理部２０の結束手段２５によりバラ紙幣Ｓの結束が行われ、このようにして形成された紙幣束Ｂは金種に応じて各貨幣収納庫２１ａ〜２１ｅに自動的に収納される。
【００３１】
操作者が貨幣処理装置から所望の金種の紙幣束Ｂを取り出す場合には、まずキーボード式の操作部６により紙幣束Ｂの金種および数量を入力する。そうすると、束紙幣処理部２０において、操作部６で入力された紙幣束Ｂの金種に対応する貨幣収納庫２１の昇降ステージ２１ｇが上方に移動し、この昇降ステージ２１ｇに載置された紙幣束Ｂのうち操作部６において入力された数量分の紙幣束Ｂが搬送ベルト２２ａに受け渡される。
束紙幣処理部２０の貨幣搬送手段２２においては、搬送ベルト２２ａ上に載置された紙幣束Ｂが昇降通路２０ａまで搬送され、昇降ステージ２２ｂが搬送ベルト２２ａから紙幣束Ｂを受けて出金口４０まで搬送する。
このようにして、操作者は所望の金種および数量の紙幣束Ｂを出金口４０から受け取ることができる。
【００３２】
一方、紙幣束Ｂが搬送ベルト２２ａや昇降ステージ２２ｂによって搬送される際に、この紙幣束Ｂが傾いたり、紙幣束Ｂの表面のバラ紙幣Ｓによって搬送ベルト２２ａ等に対して引っ掛かりが生じたり、あるいは紙幣束Ｂの取り出し中に貨幣処理装置の筐体の扉が開いたりする等、紙幣束Ｂの取り出しにおいて障害が生じる場合がある。この場合には、貨幣処理装置の束紙幣処理部２０における一連の処理が自動的に停止される。この際に、操作者は、貨幣処理装置の筐体を開けて貨幣収納庫２１を筐体から手前側に引き出し（図２参照）、束紙幣処理部２０から手動で、障害発生時に貨幣搬送手段２２により搬送されていた取出不良紙幣束Ｂ´を抜き出さなければならない。そして、操作者はこの抜き出された取出不良紙幣束Ｂ´を金種が合致する貨幣収納庫２１に戻す必要がある。
【００３３】
ここで、前述のように紙幣束Ｂの搬送を行う際に紙幣束Ｂの詰まり等の障害が発生した場合には、貨幣搬送手段２２の検知器２２ｃによりこの障害が検知される。そして、検知器２２ｃにおいて障害が検知された時点における取出不良紙幣束Ｂ´の金種および数量が検出され、この取出不良紙幣束Ｂ´の金種および数量が取出不良貨幣情報として制御ユニット２３のメモリ２３ａに記憶される。
具体的には、例えば束紙幣処理部２０において五千円札の紙幣束Ｂを取り出している最中にこの紙幣束Ｂの詰まり等の障害が発生した場合には、障害が生じた取出不良紙幣束Ｂ´の金種が五千円札であることが検出される。また、貨幣収納庫２１から取り出された紙幣束Ｂの数量から、実際に出金口４０まで搬送された紙幣束Ｂの数量を減算することにより取出不良紙幣束Ｂ´の数量が検出される。
【００３４】
そして、操作者が取出不良紙幣束Ｂ´を当該取出不良紙幣束Ｂ´の金種に対応する貨幣収納庫２１に戻す際に、制御ユニット２３のメモリ２３ａに記憶された取出不良貨幣情報と異なるよう取出不良紙幣束Ｂ´が貨幣収納庫２１に戻されたときには、警報手段２４のブザー２４ａがエラーブザーを鳴らす。
具体的には、例えば実際の取出不良紙幣束Ｂ´が五千円札であるときに、操作者が誤って千円札に対応する貨幣収納庫２１にこの取出不良紙幣束Ｂ´を戻した場合には、千円札の貨幣収納庫２１に五千円札が収納されたことが例えばこの貨幣収納庫２１の内部に取り付けられたセンサ（図示せず）により検知され、この検知信号を受けてブザー２４ａがエラーブザーを鳴らす。あるいは実際に貨幣収納庫２１に戻された取出不良紙幣束Ｂ´の数量が前述のセンサにより計測され、この計測された実際の取出不良紙幣束Ｂ´の数量とメモリ２３ａに記憶された数量とが合致しなかった場合に、同じようにブザー２４ａがエラーブザーを鳴らす。
【００３５】
以上のように本実施の形態の貨幣処理装置によれば、貨幣搬送手段（貨幣取り出し手段）２２により紙幣束Ｂ（貨幣）の取り出しを行う際に障害が発生したときに、この障害発生時に取り出しが行われていた取出不良紙幣束Ｂ´（取出不良貨幣）に関する取出不良貨幣情報がメモリ（記憶手段）２３ａにおいて記憶される。そして、障害発生後に取出不良紙幣束Ｂ´を貨幣収納庫２１に戻す際に、メモリ２３ａに記憶された取出不良貨幣情報と異なるよう取出不良紙幣束Ｂ´が貨幣収納庫２１に戻されたときには警報手段２４により警報が発せられる。このため、障害発生後に操作者が取出不良紙幣束Ｂ´を誤って別の金種の貨幣収納庫２１に収納したり、障害発生後に貨幣収納庫２１に収納すべき取出不良紙幣束Ｂ´の数量を間違えたりした場合には、操作者は警報手段２４のブザー２４ａから警報を受けることにより取出不良紙幣束Ｂ´の戻し操作に誤りがあったことを認識することができる。このことにより、操作者は取出不良紙幣束Ｂ´の戻し操作を正確に行うことができ、また、復旧作業の後に、金種を誤って貨幣収納庫２１に戻された取出不良紙幣束Ｂ´が貨幣処理装置の出金口４０から取り出されることを確実に抑止することができる。
【００３６】
本実施の形態による貨幣処理装置は、上記の態様に限定されるものではなく、様々の変更を加えることができる。
例えば、図１に示す貨幣処理装置において、障害発生時に関連した構成については、バラ紙幣処理部３０も束紙幣処理部２０と略同一の構成となっていてもよい。すなわち、バラ紙幣処理部３０が、バラ紙幣Ｓの取り出しを行う際に障害が発生したときにこの障害時に取り出しが行われていた取出不良バラ紙幣Ｓ´に関する取出不良貨幣情報を記憶する記憶手段と、障害発生後に取出不良バラ紙幣Ｓ´を抜き出してバラ紙幣収納庫に戻す際に記憶手段に記憶された取出不良貨幣情報と異なるよう取出不良バラ紙幣Ｓ´がバラ紙幣収納庫に戻されたときに警報を発する警報手段とを備えていてもよい。
【００３７】
また、本実施の形態の貨幣処理装置により処理される貨幣は、紙幣束Ｂやバラ紙幣Ｓに限定されることはなく、例えば同一種類の複数の硬貨を紙等で包装した硬貨包装体であってもよい。
【００３８】
また、図１に示す貨幣処理装置において、外部プリンタ８は、貨幣搬送手段２２の検知器２２ｃにより障害の発生が検知されたときに取出不良貨幣に関する取出不良貨幣情報を紙に印字して打ち出しを行っている。この外部プリンタ８により打ち出された紙には、取出不良貨幣の金種および数量が印字されるようになっている。
このことにより、操作者は外部プリンタ８により打ち出された紙の印字内容を確認しながら、取出不良貨幣を抜き取って貨幣収納庫２１に戻すことができるので、この取出不良貨幣の戻し操作をより正確に行うことができる。
【００３９】
第２の実施の形態
以下、図面を参照して本発明の第２の実施の形態について説明する。図４は、本発明の第２の実施の形態による貨幣処理装置の束紙幣処理部の各構成部材の配置を示す模式的な縦断面図である。
図４に示す第２の実施の形態において、図１乃至図３に示す第１の実施の形態と同一部分には同一符号を付して詳細な説明を省略する。
【００４０】
本実施の形態による貨幣処理装置は、束紙幣処理部が警報手段を有する代わりにロック手段およびロック解除手段を有する点が異なるのみであり、他は実質的に図１乃至図３に示す第１の実施の形態と同様の構成を有している。
この貨幣処理装置について図４を用いて以下に説明する。
【００４１】
本実施の形態における貨幣処理装置の束紙幣処理部５０は、各貨幣収納庫２１についてそれぞれ紙幣束Ｂの収納を不能とするようロックすることができるロック手段５１と、障害発生時に、メモリ（記憶手段）２３ａに記憶された取出不良紙幣束Ｂ´の金種情報に対応する貨幣収納庫２１のみのロックを解除するロック解除手段５２とを備えている。
【００４２】
ロック手段５１は、各貨幣収納庫２１ａ〜２１ｅの上部にそれぞれ設けられたシャッター部材５１ａ〜５１ｅを有しており、これらのシャッター部材５１ａ〜５１ｅは制御ユニット２３と接続されている。制御ユニット２３は、各シャッター部材５１ａ〜５１ｅをそれぞれ閉状態に維持させることにより各貨幣収納庫２１ａ〜２１ｅへの取出不良紙幣束Ｂ´の収納を不能とするようロックするようになっている。
【００４３】
ロック解除手段５２は、貨幣搬送手段２２により紙幣束Ｂの取り出しを行う際に障害が発生したときに、制御ユニット２３のメモリ２３ａに記憶された取出不良紙幣束Ｂ´の金種情報に対応する貨幣収納庫２１のみのロックを解除するようになっている。具体的には、このロック解除手段５２から制御ユニット２３に信号が送られることにより、メモリ２３ａに記憶された取出不良紙幣束Ｂ´の金種情報に対応する貨幣収納庫２１に設けられたシャッター部材のみが開状態となって、当該貨幣収納庫２１に取出不良紙幣束Ｂ´を投入することができるようになる。
【００４４】
次に、このような構成からなる本実施の形態の作用について図４を用いて説明する。なお、第１の実施の形態と同様の作用については詳細な説明を省略する。
【００４５】
束紙幣処理部５０において、各貨幣収納庫２１ａ〜２１ｅのシャッター部材５１ａ〜５１ｅは通常は閉状態となっており、操作者がこのシャッター部材５１ａ〜５１ｅを開いて各貨幣収納庫２１ａ〜２１ｅに対する紙幣束Ｂの出し入れを行うことができないようになっている。
一方、操作者が操作部６において紙幣束Ｂの取り出し処理を行うことを入力し、紙幣束Ｂの自動取り出し処理が行われる際には、紙幣束Ｂの金種に対応する貨幣収納庫２１のシャッター部材が開状態とされる。
【００４６】
紙幣束Ｂが貨幣搬送手段２２の搬送ベルト２２ａや昇降ステージ２２ｂによって搬送される際に、第１の実施の形態と同様に障害が発生する場合がある。
ここで、このような紙幣束Ｂの詰まり等の障害が発生した場合には、貨幣搬送手段２２の検知器２２ｃによりこの障害が検知され、当該検知器２２ｃにおいて障害が検知された時点における取出不良紙幣束Ｂ´の金種が検出され、この取出不良紙幣束Ｂ´の金種が制御ユニット２３のメモリ２３ａに記憶される。
【００４７】
そして、ロック解除手段５２により、メモリ２３ａに記憶された取出不良紙幣束Ｂ´の金種情報に対応する貨幣収納庫２１に設けられたシャッター部材のみが制御ユニット２３を介して操作され、このシャッター部材のみが開状態となる。このことにより、操作者は取出不良紙幣束Ｂ´の金種に対応する貨幣収納庫２１のみに取出不良紙幣束Ｂ´を戻すことができるようになる。
【００４８】
以上のように本実施の形態の貨幣処理装置によれば、ロック手段５１により通常は各貨幣収納庫２１への貨幣の収納が不能となるようロックされている。そして、貨幣搬送手段（貨幣取り出し手段）２２により紙幣束Ｂ（貨幣）の取り出しを行う際に障害が発生したときに、この障害発生時に取り出しが行われていた取出不良紙幣束Ｂ´（取出不良貨幣）の金種に関する取出不良貨幣情報がメモリ（記憶手段）２３ａにおいて記憶され、ロック解除手段５２によりメモリ２３ａに記憶された取出不良貨幣情報の金種に対応する貨幣収納庫２１のみのロックが解除される。このため、障害発生後には操作者は取出不良紙幣束Ｂ´をこの取出不良紙幣束Ｂ´の金種に対応する貨幣収納庫２１のみにしか収納することができないので、操作者が取出不良紙幣束Ｂ´を誤って別の金種の貨幣収納庫２１に収納することを確実に抑止することができる。このことにより、復旧作業の後に、金種を誤って貨幣収納庫２１に戻された取出不良紙幣束Ｂ´が貨幣処理装置の出金口４０から取り出されることを確実に抑止することができる。
【００４９】
本実施の形態による貨幣処理装置は、上記の態様に限定されるものではなく、様々の変更を加えることができる。例えば、貨幣処理装置において用いられる貨幣は紙幣束Ｂに限定されるものではなく、例えばバラ紙幣Ｓや同一種類の複数の硬貨を紙等で包装した硬貨包装体であってもよい。
【００５０】
また、本実施の形態においては、各貨幣収納庫２１ａ〜２１ｅについてそれぞれ取出不良紙幣束Ｂ´の収納を不能とするようロックすることができるロック手段は、図４に示すような各貨幣収納庫２１ａ〜２１ｅの上部にそれぞれ設けられたシャッター部材５１ａ〜５１ｅから構成されるものに限定されることはない。
例えば、それぞれの貨幣収納庫２１の側面下部に開口が設けられているとともに、束紙幣処理部５０の筐体に、各貨幣収納庫２１の開口にそれぞれ引っ掛かることが可能な複数の係合部材（図示せず）がこれらの貨幣収納庫２１に対応して取り付けられていてもよい。本変形例においては、これらの複数の係合部材によりロック手段が構成されている。
各係合部材は、対応する貨幣収納庫２１の開口に引っ掛かることによりこの貨幣収納庫２１が図２に示す状態から手前側に引き出されることを抑止し、当該貨幣収納庫２１への取出不良紙幣束Ｂ´の収納を不能とするようロックする。一方、貨幣収納庫２１の開口からの係合部材の引っ掛かりが解除されると、この貨幣収納庫２１を図２に示す状態から手前側に引き出すことができるようになり、取出不良紙幣束Ｂ´の収納が可能となる。
このようにして、各係合部材は対応する貨幣収納庫２１の着脱を調整することができる。
【００５１】
第３の実施の形態
以下、図面を参照して本発明の第３の実施の形態について説明する。図５は、本発明の第３の実施の形態による貨幣処理装置の束紙幣処理部の各構成部材の配置を示す模式的な縦断面図である。
図５に示す第３の実施の形態において、図１乃至図３に示す第１の実施の形態と同一部分には同一符号を付して詳細な説明を省略する。
【００５２】
本実施の形態による貨幣処理装置は、束紙幣処理部が記憶手段を有する代わりに入力手段を有し、この入力手段において入力された取出不良貨幣情報と異なるよう取出不良貨幣が貨幣収納庫に戻されたときに警報手段が警報を発するようになっている点が異なるのみであり、他は実質的に図１乃至図３に示す第１の実施の形態と同様の構成を有している。
この貨幣処理装置について図５を用いて以下に説明する。
【００５３】
貨幣処理装置の操作部６は、束紙幣処理部６０において貨幣搬送手段２２により紙幣束Ｂ´の取り出しを行う際に障害が発生したときに、この障害発生時に取り出しが行われていた取出不良紙幣束Ｂ´に関する取出不良貨幣情報を操作者が入力するための例えばキーボード式の入力手段となっている。この操作部６は制御ユニット２３に接続されている。
【００５４】
警報手段６４は、制御ユニット２３に電気的に接続されたブザー６４ａを有している。そして、障害発生後に操作者が取出不良紙幣束Ｂ´を抜き取って貨幣収納庫２１に戻す際に、操作部６において入力された取出不良紙幣束Ｂ´に関する金種や数量の情報と異なるよう取出不良紙幣束Ｂ´が貨幣収納庫２１に戻されたときに、制御ユニット２３によって警報手段６４のブザー６４ａがエラーブザーを鳴らすようになっている。
【００５５】
次に、このような構成からなる本実施の形態の作用について図５を用いて説明する。なお、第１の実施の形態と同様の作用については詳細な説明を省略する。
【００５６】
貨幣処理装置の束紙幣処理部６０において、例えば五千円札の紙幣束Ｂの取り出しを行っているときに当該紙幣束Ｂの詰まり等の障害が発生したときには、操作者は、取出不良紙幣束Ｂ´が五千円札であるという金種情報および障害により搬送されなかった取出不良紙幣束Ｂ´の数量情報を操作部６により入力する。その後、操作者がこの五千円札の取出不良紙幣束Ｂ´を抜き取って貨幣収納庫２１に戻す際に、操作部６において入力された金種に対応する貨幣収納庫２１以外の貨幣収納庫２１に取出不良紙幣束Ｂ´を戻したり、実際に戻された取出不良紙幣束Ｂ´の数量と操作部６において入力された数量とが合致していなかったりした場合には、警報手段６４のブザー６４ａによりエラーブザーが鳴らされる。
【００５７】
以上のように本実施の形態の貨幣処理装置によれば、貨幣搬送手段（貨幣取り出し手段）２２により紙幣束Ｂ（貨幣）の取り出しを行う際に障害が発生したときに、操作部（入力手段）６においてこの障害発生時に取り出しが行われていた取出不良紙幣束Ｂ´（取出不良貨幣）に関する取出不良貨幣情報が操作者により入力される。そして、障害発生後に取出不良紙幣束Ｂ´を貨幣収納庫２１に戻す際に、操作部６において入力された取出不良貨幣情報と異なるよう取出不良紙幣束Ｂ´が貨幣収納庫２１に戻されたときには警報手段６４により警報が発せられる。このため、障害発生後に操作者が取出不良紙幣束Ｂ´を誤って別の金種の貨幣収納庫２１に収納したり、障害発生後に貨幣収納庫２１に収納すべき取出不良紙幣束Ｂ´の数量を間違えたりした場合には、操作部６において入力された取出不良貨幣情報に基づいて操作者は警報手段６４のブザー６４ａから警報を受ける。このようにして、操作者は操作部６における自己の入力内容に対して実際の取出不良紙幣束Ｂ´の戻し操作に誤りがあったことを認識することができる。このことにより、操作者は取出不良紙幣束Ｂ´の戻し操作を正確に行うことができ、また、復旧作業の後に、金種を誤って貨幣収納庫２１に戻された取出不良紙幣束Ｂ´が貨幣処理装置の出金口４０から取り出されることを確実に抑止することができる。
【００５８】
本実施の形態による貨幣処理装置は、上記の態様に限定されるものではなく、様々の変更を加えることができる。
例えば、貨幣処理装置の束紙幣処理部６０は、障害発生時に取り出しが行われていた取出不良紙幣束Ｂ´に関する取出不良貨幣情報を記憶する記憶手段を更に備えていてもよい。この場合において、記憶手段に記憶された取出不良貨幣情報のみを操作者が操作部６により入力することができ、記憶手段に記憶された取出不良貨幣情報以外の金種や数量は入力することができないようになっている。
【００５９】
このような変形例に係る貨幣処理装置によれば、まず障害発生時に取り出しが行われていた取出不良紙幣束Ｂ´に関する取出不良貨幣情報が記憶手段に記憶され、次に操作者が操作部６においてこの記憶手段に記憶された取出不良貨幣情報と合致するよう取出不良紙幣束Ｂ´に関する取出不良貨幣情報を入力することになる。このため、操作者は実際の状況に即した取出不良貨幣情報を操作部６により入力することができ、障害発生後に操作者が取出不良紙幣束Ｂ´を誤って別の金種の貨幣収納庫２１に収納したり、障害発生後に貨幣収納庫２１に収納すべき取出不良紙幣束Ｂ´の数量を間違えたりした場合には、この実際の状況に即した取出不良貨幣情報に基づいて操作者は警報手段６４から警報を受ける。このように操作者の取出不良紙幣束Ｂ´の戻し操作について操作部（入力手段）６および警報手段６４において二重のチェックが行われるので、操作者は取出不良紙幣束Ｂ´の戻し操作をより正確に行うことができる。
【００６０】
また、貨幣処理装置において用いられる貨幣は紙幣束Ｂに限定されるものではなく、例えばバラ紙幣Ｓや同一種類の複数の硬貨を紙等で包装した硬貨包装体であってもよい。
【００６１】
第４の実施の形態
以下、図面を参照して本発明の第４の実施の形態について説明する。図６は、本発明の第４の実施の形態による貨幣処理装置の束紙幣処理部の各構成部材の配置を示す模式的な縦断面図である。
図６に示す第４の実施の形態において、図５に示す第３の実施の形態と同一部分には同一符号を付して詳細な説明を省略する。
【００６２】
本実施の形態による貨幣処理装置は、操作者が手動により様々な金種の紙幣束Ｂを各貨幣収納庫２１に金種毎に収納する際の収納操作の誤りに対応するよう構成された点が異なるのみであり、他は実質的に図５に示す第３の実施の形態と同様の構成を有している。
この貨幣処理装置について図６を用いて以下に説明する。
【００６３】
貨幣処理装置の操作部６は、束紙幣処理部７０において操作者が手動で紙幣束Ｂを貨幣収納庫２１に収納する前に、この紙幣束Ｂに対応する収納予定貨幣情報を操作者が入力するための例えばキーボード式の入力手段となっている。この操作部６は制御ユニット２３に接続されている。
【００６４】
警報手段７４は、制御ユニット２３に電気的に接続されたブザー７４ａを有している。そして、操作者が手動で紙幣束Ｂを貨幣収納庫２１に収納する際に、操作部６において入力された収納されるべき紙幣束Ｂに関する金種や数量の情報（収納予定貨幣情報）と異なるよう紙幣束Ｂが貨幣収納庫２１に収納されたときに、制御ユニット２３によって警報手段７４のブザー７４ａがエラーブザーを鳴らすようになっている。
【００６５】
次に、このような構成からなる本実施の形態の作用について図６を用いて説明する。なお、第３の実施の形態と同様の作用については詳細な説明を省略する。
【００６６】
操作者が手動で紙幣束Ｂを貨幣収納庫２１に収納するにあたり、操作者はまず操作部６においてこれから収納しようとする紙幣束Ｂの金種や数量の情報を入力する。そして、貨幣処理装置の筐体の前扉を開け、図２に示すように貨幣収納庫２１を筐体から手前側に引き出し、紙幣束Ｂを金種の合致した貨幣収納庫２１に収納する。
【００６７】
ここで、操作部６において入力された収納予定貨幣情報と異なるよう紙幣束Ｂが貨幣収納庫２１に収納されたときには、制御ユニット２３により警報手段７４のブザー７４ａがエラーブザーを鳴らす。
具体的には、例えば操作者がこれから収納する紙幣束Ｂが五千円札であるときに、操作者が誤って千円札に対応する貨幣収納庫２１にこの紙幣束Ｂを収納した場合には、千円札の貨幣収納庫２１に五千円札が収納されたことが例えばこの貨幣収納庫２１の内部に取り付けられたセンサ（図示せず）により検知され、この検知信号を受けてブザー７４ａがエラーブザーを鳴らす。あるいは実際に貨幣収納庫２１に戻された紙幣束Ｂの数量が前述のセンサにより計測され、この計測された実際の紙幣束Ｂの数量と操作部６において入力された数量とが合致しなかった場合に、同じようにブザー７４ａがエラーブザーを鳴らす。
【００６８】
以上のように本実施の形態の貨幣処理装置によれば、操作者が手動で紙幣束Ｂを貨幣収納庫２１に収納する前に、操作部（入力手段）６においてこの紙幣束Ｂに関する収納予定貨幣情報が操作者により入力される。そして、操作者が手動で紙幣束Ｂを貨幣収納庫２１に収納する際に、操作部６において入力された収納予定貨幣情報と異なるよう紙幣束Ｂが貨幣収納庫２１に収納されたときには警報手段７４により警報が発せられる。このため、操作者が手動で紙幣束Ｂを貨幣収納庫２１に収納する際に、紙幣束Ｂを誤って別の金種の貨幣収納庫２１に収納したり、貨幣収納庫２１に実際に収納する紙幣束Ｂの数量を間違えたりした場合には、操作部６において入力された収納予定貨幣情報に基づいて操作者は警報手段７４のブザー７４ａから警報を受ける。このようにして、操作者は操作部６における自己の入力内容に対して実際の紙幣束Ｂの収納操作に誤りがあったことを認識することができる。このことにより、操作者は紙幣束Ｂの収納操作を正確に行うことができる。
【００６９】
本実施の形態による貨幣処理装置は、上記の態様に限定されるものではなく、様々の変更を加えることができる。例えば、貨幣処理装置において用いられる貨幣は紙幣束Ｂに限定されるものではなく、例えばバラ紙幣Ｓや同一種類の複数の硬貨を紙等で包装した硬貨包装体であってもよい。
【図面の簡単な説明】
【００７０】
【図１】貨幣処理装置の外観を示す斜視図である。
【図２】図１の貨幣処理装置において各貨幣収納庫（カセット）を手前側に引き出したときの外観を示す斜視図である。
【図３】第１の実施の形態における貨幣処理装置の束紙幣処理部の各構成部材の配置を示す模式的な縦断面図である。
【図４】第２の実施の形態における貨幣処理装置の束紙幣処理部の各構成部材の配置を示す模式的な縦断面図である。
【図５】第３の実施の形態における貨幣処理装置の束紙幣処理部の各構成部材の配置を示す模式的な縦断面図である。
【図６】第４の実施の形態における貨幣処理装置の束紙幣処理部の各構成部材の配置を示す模式的な縦断面図である。
【符号の説明】
【００７１】
２      バラ硬貨入出金部
３      包装硬貨出金部
４      現外ポスト部
５      端末部
５ａ    表示画面
５ｂ    ＩＤカードリーダ
６      操作部（入力手段）
８      外部プリンタ
２０    束紙幣処理部
２０ａ  昇降通路
２１、２１ａ〜２１ｅ    貨幣収納庫
２１ｆ  パンダグラフ機構
２１ｇ  昇降ステージ
２２    貨幣搬送手段
２２ａ  搬送ベルト
２２ｂ  昇降ステージ
２２ｃ  検知器
２３    制御ユニット
２３ａ  メモリ（記憶手段）
２４    警報手段
２４ａ  ブザー
２５    結束手段
２８    開閉板
３０    バラ紙幣処理部
４０    出金口
４１    入金口
４２    出金口
５０    束紙幣処理部
５１    ロック手段
５１ａ〜５１ｅ  シャッター部材
５２    ロック解除手段
６０    束紙幣処理部
６４    警報手段
６４ａ  ブザー
７０    束紙幣処理部
７４    警報手段
７４ａ  ブザー
Ｂ      紙幣束
Ｂ´    取出不良紙幣束
Ｓ      バラ紙幣
Ｓ´    取出不良バラ紙幣
【図１】
2006338362.tif 000003
【図２】
2006338362.tif 000004
【図３】
2006338362.tif 000005
【図４】
2006338362.tif 000006
【図５】
2006338362.tif 000007
【図６】
2006338362.tif 000008